【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
深度成分とテクスチャ成分とを備えるビュー成分を含むビデオデータを符号化又は復号する方法であって、
装置のプロセッサが、前記ビュー成分の前記テクスチャ成分のためのテクスチャパラメータセットとしてパラメータセットをアクティブ化することと、前記テクスチャパラメータセットは前記装置のメモリに記憶されており、
前記プロセッサが、アクティブ化された前記テクスチャパラメータセットに基づいて、前記ビュー成分の前記深度成分ではなく前記ビュー成分の前記テクスチャ成分だけを符号化又は復号することと、
前記プロセッサが、前記テクスチャパラメータセットの前記アクティブ化と並行に前記ビュー成分の前記深度成分のためのパラメータセットをアクティブ化することと、前記深度成分のための前記パラメータセットは前記メモリに記憶されており、
前記プロセッサが、アクティブ化された前記テクスチャパラメータセットではなく前記ビュー成分の前記深度成分のためにアクティブ化された前記パラメータセットに基づいて、前記ビュー成分の前記深度成分を符号化又は復号することと
を備える、方法。
【請求項２】
前記ビデオデータの前記深度ビュー成分のための深度ピクチャパラメータセットとしてピクチャパラメータセットをアクティブ化することを更に備える、請求項１に記載の方法。
【請求項３】
前記テクスチャビュー成分と、前記ビデオデータの同じビュー内の前記ビデオデータの全ての他のテクスチャビュー成分とをコード化するために、テクスチャシーケンスパラメータセットをアクティブ化することを更に備える、請求項１に記載の方法。
【請求項４】
前記深度ビュー成分と、前記ビデオデータの同じビュー内の前記ビデオデータの全ての他の深度ビュー成分とをコード化するために、深度シーケンスパラメータセットをアクティブ化することを更に備える、請求項１に記載の方法。
【請求項５】
前記ビデオデータの前記テクスチャビュー成分に対するビューピクチャパラメータセットとしてピクチャパラメータセットをアクティブ化することを更に備える、請求項１に記載の方法。
【請求項６】
前記テクスチャ成分を符号化又は復号することが、ビデオエンコーダが、アクティブ化された前記テクスチャパラメータセットに基づいて、前記ビュー成分の前記テクスチャ成分を符号化することを備える、請求項１に記載の方法。
【請求項７】
前記テクスチャ成分を符号化又は復号することが、ビデオデコーダが、アクティブ化された前記テクスチャパラメータセットに基づいて、前記ビュー成分の前記テクスチャ成分を復号することを備える、請求項１に記載の方法。
【請求項８】
前記深度成分及び前記テクスチャ成分が異なる解像度を有する、請求項１に記載の方法。
【請求項９】
前記ビデオデータが、Ｈ．２６４／アドバンストビデオコード化規格に対する３次元ビデオコード化拡張に準拠し、前記Ｈ．２６４／アドバンストビデオコード化規格に対するマルチビュービデオコード化拡張と後方互換性がある、請求項１に記載の方法。
【請求項１０】
深度成分及びテクスチャ成分から成るビュー成分を含むビデオデータを符号化又は復号するための装置であって、
前記ビュー成分の前記テクスチャ成分のためのテクスチャパラメータセットとしてパラメータセットをアクティブ化することと、
アクティブ化された前記テクスチャパラメータセットに基づいて、前記ビュー成分の前記深度成分ではなく前記ビュー成分の前記テクスチャ成分だけを符号化又は復号することと、
前記テクスチャパラメータセットの前記アクティブ化と並行に前記ビュー成分の前記深度成分のためのパラメータセットをアクティブ化することと、
アクティブ化された前記テクスチャパラメータセットではなく前記ビュー成分の前記深度成分のためにアクティブ化された前記パラメータセットに基づいて、前記ビュー成分の前記深度成分を符号化又は復号することと、
を行うように構成されたプロセッサと、
前記テクスチャパラメータセットおよび前記深度成分のためにアクティブ化された前記パラメータセットを記憶するように構成されたメモリと、
を備える、装置。
【請求項１１】
前記プロセッサが更に、前記ビデオデータの前記深度ビュー成分のための深度ピクチャパラメータセットとしてピクチャパラメータセットをアクティブ化するように構成される、請求項１０に記載の装置。
【請求項１２】
前記プロセッサが更に、前記テクスチャビュー成分と、前記ビデオデータの同じビュー内の前記ビデオデータの全ての他のテクスチャビュー成分とをコード化するために、テクスチャシーケンスパラメータセットをアクティブ化するように構成される、請求項１０に記載の装置。
【請求項１３】
前記プロセッサが更に、前記深度ビュー成分と、前記ビデオデータの同じビュー内の前記ビデオデータの全ての他の深度ビュー成分とをコード化するために、深度シーケンスパラメータセットをアクティブ化するように構成される、請求項１０に記載の装置。
【請求項１４】
前記プロセッサが更に、前記ビデオデータの前記テクスチャビュー成分に対するビューピクチャパラメータセットとしてピクチャパラメータセットをアクティブ化するように構成される、請求項１０に記載の装置。
【請求項１５】
前記プロセッサが、前記テクスチャ成分を符号化又は復号するとき、アクティブ化された前記テクスチャパラメータセットに基づいて、前記ビュー成分の前記テクスチャ成分を符号化するように更に構成される、請求項１０に記載の装置。
【請求項１６】
前記プロセッサが、前記テクスチャ成分を符号化又は復号するとき、アクティブ化された前記テクスチャパラメータセットに基づいて、前記ビュー成分の前記テクスチャ成分を復号するように更に構成される、請求項１０に記載の装置。
【請求項１７】
前記深度成分及び前記テクスチャ成分が異なる解像度を有する、請求項１０に記載の装置。
【請求項１８】
前記ビデオデータが、Ｈ．２６４／アドバンストビデオコード化規格に対する３次元ビデオコード化拡張に準拠し、前記Ｈ．２６４／アドバンストビデオコード化規格に対するマルチビュービデオコード化拡張と後方互換性がある、請求項１０に記載の装置。
【請求項１９】
深度成分およびテクスチャ成分から成るビュー成分を含むビデオデータを符号化又は復号するための装置であって、前記ビデオコード化装置は、
前記ビュー成分の前記テクスチャ成分のためのテクスチャパラメータセットとしてパラメータセットをアクティブ化するための手段と、
前記テクスチャパラメータセットを記憶するための手段と、
アクティブ化された前記テクスチャパラメータセットに基づいて、前記ビュー成分の前記深度成分ではなく前記ビュー成分の前記テクスチャ成分だけを符号化又は復号するための手段と、
前記テクスチャパラメータセットの前記アクティブ化と並行に前記ビュー成分の前記深度成分のためのパラメータセットをアクティブ化するための手段と、
前記深度成分のためにアクティブ化された前記パラメータセットを記憶するための手段と、
アクティブ化された前記テクスチャパラメータセットではなく前記ビュー成分の前記深度成分のためにアクティブ化された前記パラメータセットに基づいて、前記ビュー成分の前記深度成分を符号化又は復号するための手段と、
を備える、装置。
【請求項２０】
前記ビデオデータの前記深度ビュー成分のための深度ピクチャパラメータセットとしてピクチャパラメータセットをアクティブ化するための手段を更に備える、請求項１９に記載の装置。
【請求項２１】
前記テクスチャビュー成分と、前記ビデオデータの同じビュー内の前記ビデオデータの全ての他のテクスチャビュー成分とをコード化するために、テクスチャシーケンスパラメータセットをアクティブ化するための手段を更に備える、請求項１９に記載の装置。
【請求項２２】
前記深度ビュー成分と、前記ビデオデータの同じビュー内の前記ビデオデータの全ての他の深度ビュー成分とをコード化するために、深度シーケンスパラメータセットをアクティブ化するための手段を更に備える、請求項１９に記載の装置。
【請求項２３】
前記ビデオデータの前記テクスチャビュー成分に対するビューピクチャパラメータセットとしてピクチャパラメータセットをアクティブ化するための手段を更に備える、請求項１９に記載の装置。
【請求項２４】
前記深度成分及び前記テクスチャ成分が異なる解像度を有する、請求項１９に記載の装置。
【請求項２５】
前記ビデオデータが、Ｈ．２６４／アドバンストビデオコード化規格に対する３次元ビデオコード化拡張に準拠し、前記Ｈ．２６４／アドバンストビデオコード化規格に対するマルチビュービデオコード化拡張と後方互換性がある、請求項１９に記載の装置。
【請求項２６】
実行されると、ビデオコード化装置の１つ以上のプロセッサに
ビュー成分のテクスチャ成分のためのテクスチャパラメータセットとしてパラメータセットをアクティブ化することと、
アクティブ化された前記テクスチャパラメータセットに基づいて、前記ビュー成分の深度成分ではなく前記ビュー成分の前記テクスチャ成分だけを符号化又は復号することと、
前記テクスチャパラメータセットの前記アクティブ化と並行に前記ビュー成分の前記深度成分のためのパラメータセットをアクティブ化することと、
アクティブ化された前記テクスチャパラメータセットではなく前記ビュー成分の前記深度成分のためにアクティブ化された前記パラメータセットに基づいて、前記ビュー成分の前記深度成分を符号化又は復号することと、
を行わせる命令を記憶したコンピュータ可読記憶媒体。
【請求項２７】
実行されると、前記１つ以上のプロセッサに、ビデオデータの前記深度ビュー成分のための深度ピクチャパラメータセットとしてピクチャパラメータセットをアクティブ化させる命令を更に記憶した、請求項２６に記載のコンピュータ可読記憶媒体。
【請求項２８】
実行されると、前記１つ以上のプロセッサに、前記テクスチャビュー成分と、ビデオデータの同じビュー内の前記ビデオデータの全ての他のテクスチャビュー成分とをコード化するために、テクスチャシーケンスパラメータセットをアクティブ化させる命令を更に記憶した、請求項２６に記載のコンピュータ可読記憶媒体。
【請求項２９】
実行されると、前記１つ以上のプロセッサに、前記深度ビュー成分と、ビデオデータの同じビュー内の前記ビデオデータの全ての他の深度ビュー成分とをコード化するために、深度シーケンスパラメータセットをアクティブ化させる命令を更に記憶した、請求項２６に記載のコンピュータ可読記憶媒体。
【請求項３０】
実行されると、前記１つ以上のプロセッサに、ビデオデータの前記テクスチャビュー成分に対するビューピクチャパラメータセットとしてピクチャパラメータセットをアクティブ化させる命令を更に記憶した、請求項２６に記載のコンピュータ可読記憶媒体。
【請求項３１】
実行されると前記１つ以上のプロセッサに前記テクスチャ成分を符号化又は復号させる前記命令が、実行されると、前記１つ以上のプロセッサに、アクティブ化された前記テクスチャパラメータセットに基づいて、前記ビュー成分の前記テクスチャ成分を符号化させる命令を備える、請求項２６に記載のコンピュータ可読記憶媒体。
【請求項３２】
実行されると前記１つ以上のプロセッサに前記テクスチャ成分を符号化又は復号させる前記命令が、実行されると、前記１つ以上のプロセッサに、アクティブ化された前記テクスチャパラメータセットに基づいて、前記ビュー成分の前記テクスチャ成分を復号させる命令を備える、請求項２６に記載のコンピュータ可読記憶媒体。
【請求項３３】
前記深度成分及び前記テクスチャ成分が異なる解像度を有する、請求項２６に記載のコンピュータ可読記憶媒体。
【請求項３４】
ビデオデータが、Ｈ．２６４／アドバンストビデオコード化規格に対する３次元ビデオコード化拡張に準拠し、前記Ｈ．２６４／アドバンストビデオコード化規格に対するマルチビュービデオコード化拡張と後方互換性がある、請求項２６に記載のコンピュータ可読記憶媒体。